(57)【要約】【課題】本発明は、放電効率が改善できるプラズマディスプレイパネルを提供するためのものである。【解決手段】本発明の一実施形態に係るプラズマディスプレイパネルは、所定の間隔をおいて合着される前面基板及び後面基板と、前記前面基板と後面基板との間に形成され、複数の放電セルを区画する隔壁と、一つの前記放電セル内に交互に配列される複数のスキャン電極と複数のサステイン電極と、を含む。  本発明は、プラズマディスプレイパネルの放電効率及び発光効率が改善できる効果がある。また、製造費用が節減できる効果がある。【選択図】図３
2006173128.tif 000002
【特許請求の範囲】
【請求項１】
所定の間隔をおいて合着される前面基板及び後面基板と、
前記前面基板と後面基板との間に形成され、複数の放電セルを区画する隔壁と、
一つの前記放電セル内に交互に配列される複数のスキャン電極と複数のサステイン電極と、
を含むことを特徴とするプラズマディスプレイパネル。
【請求項２】
少なくとも２つ以上の前記放電セルは、前記スキャン電極と前記サステイン電極の個数が互いに異なることを特徴とする請求項１に記載のプラズマディスプレイパネル。
【請求項３】
前記スキャン電極とサステイン電極の個数は、前記放電セルの大きさによって異なることを特徴とする請求項２に記載のプラズマディスプレイパネル。
【請求項４】
前記スキャン電極とサステイン電極の個数は、前記電極の幅によって異なることを特徴とする請求項２に記載のプラズマディスプレイパネル。
【請求項５】
前記スキャン電極とサステイン電極の幅は、３０μｍ以上７０μｍ以下であることを特徴とする請求項１に記載のプラズマディスプレイパネル。
【請求項６】
前記スキャン電極と前記サステイン電極との間の間隔は、前記放電セルの中央部と外郭部が互いに同一であることを特徴とする請求項１に記載のプラズマディスプレイパネル。
【請求項７】
前記スキャン電極と前記サステイン電極との間の間隔は、前記放電セルの中央部と外郭部が互いに異なることを特徴とする請求項１に記載のプラズマディスプレイパネル。
【請求項８】
前記中央部の前記スキャン電極と前記サステイン電極との間の間隔は、３０μｍ以上６０μｍ以下であることを特徴とする請求項７に記載のプラズマディスプレイパネル。
【請求項９】
前記外郭部の前記スキャン電極と前記サステイン電極との間の間隔は、４０μｍ以上１００μｍ以下であることを特徴とする請求項７に記載のプラズマディスプレイパネル。
【請求項１０】
所定の間隔をおいて合着される前面基板及び後面基板と、
前記前面基板と後面基板との間に形成され、複数の放電セルを区画する隔壁と、
一つの前記放電セル内に交互に配列され、不透明電極からなる複数のスキャン電極と複数のサステイン電極と、
を含むことを特徴とするプラズマディスプレイパネル。
【請求項１１】
前記不透明電極は金属電極であることを特徴とする請求項１０に記載のプラズマディスプレイパネル。
【請求項１２】
少なくとも２つ以上の前記放電セルは、前記スキャン電極と前記サステイン電極の個数が互いに異なることを特徴とする請求項１０に記載のプラズマディスプレイパネル。
【請求項１３】
前記スキャン電極とサステイン電極の個数は、前記放電セルの大きさによって異なることを特徴とする請求項１２に記載のプラズマディスプレイパネル。
【請求項１４】
前記スキャン電極とサステイン電極の個数は、前記電極の幅によって異なることを特徴とする請求項１２に記載のプラズマディスプレイパネル。
【請求項１５】
前記スキャン電極とサステイン電極の幅は、３０μｍ以上７０μｍ以下であることを特徴とする請求項１０に記載のプラズマディスプレイパネル。
【請求項１６】
前記スキャン電極と前記サステイン電極との間の間隔は、前記放電セルの中央部と外郭部が互いに同じであることを特徴とする請求項１０に記載のプラズマディスプレイパネル。
【請求項１７】
前記スキャン電極と前記サステイン電極との間の間隔は、前記放電セルの中央部と外郭部が互いに異なることを特徴とする請求項１０に記載のプラズマディスプレイパネル。
【請求項１８】
前記中央部の前記スキャン電極と前記サステイン電極との間の間隔は、３０μｍ以上６０μｍ以下であることを特徴とする請求項１７に記載のプラズマディスプレイパネル。
【請求項１９】
前記外郭部の前記スキャン電極と前記サステイン電極との間の間隔は、４０μｍ以上１００μｍ以下であることを特徴とする請求項１７に記載のプラズマディスプレイパネル。
【請求項２０】
所定の間隔をおいて合着される前面基板及び後面基板と、
前記前面基板と後面基板との間に形成され、複数の放電セルを区画する閉鎖型（closed type）隔壁と、
一つの前記放電セル内に交互に配列され、不透明電極からなる複数のスキャン電極及び複数のサステイン電極と、
を含むことを特徴とするプラズマディスプレイパネル。
【発明の詳細な説明】
【技術分野】
【０００１】
本発明は、プラズマディスプレイパネルに関する。
【背景技術】
【０００２】
一般に、プラズマディスプレイパネルは、前面パネルと後面パネルとの間に形成された隔壁が一つの単位セルをなすものであって、各セル内には、ネオン（Ne）、ヘリウム（He）またはネオンとヘリウムとの混合気体（Ne+He）のような主放電気体と少量のキセノンを含有する不活性ガスが充填されている。高周波電圧により放電される際、不活性ガスは真空紫外線（Vacuum Ultraviolet Rays）を発生し、隔壁間に形成された蛍光体を発光させて画像が具現される。このようなプラズマディスプレイパネルは、薄く、かつ、軽い構成が可能であるので、次世代の表示装置として脚光を浴びている。
【０００３】
図１は、一般的なプラズマディスプレイパネルの構造を示す図である。
【０００４】
図１に示すように、プラズマディスプレイパネルは、画像がディスプレイされる表示面である前面基板１０１上にスキャン電極１０２及びサステイン電極１０３が対を成して形成された複数の維持電極対が配列された前面パネル１００及び背面をなす後面基板１１１上に複数の前記維持電極対と交差するように複数のアドレス電極１１３が配列された後面パネル１１０が一定の距離を置いて平行するように結合される。
【０００５】
前面パネル１００は、透明なＩＴＯ物質で形成された透明電極１０２ａ、１０３ａとバス電極１０２ｂ、１０３ｂから備えられたスキャン電極１０２及びサステイン電極１０３が対を成して含まれる。スキャン電極１０２及びサステイン電極１０３は上部誘電体層１０４により覆われ、上部誘電体層１０４上には保護層１０５が形成される。
【０００６】
後面パネル１１０は放電セルを区画するための隔壁１１２が含まれる。また、複数のアドレス電極１１３が隔壁１１２に対し平行するように配置される。アドレス電極１１３上にはＲ（Red）、Ｇ（Green）、Ｂ（Blue）蛍光体１１４が塗布される。アドレス電極１１３と蛍光体１１４との間には下部誘電体層１１５が形成される。
【０００７】
一方、一般的に透明電極１０２ａ、１０３ａの材質で使用するＩＴＯは材料費の面で相当量を占めているのに、最近、プラズマディスプレイパネルの技術動向は製造費用を減らしながらもユーザーが視聴するのに充分な視感特性及び駆動特性などを確保することができるプラズマディスプレイパネルを製造するのに主眼点をおいている。
【発明の開示】
【発明が解決しようとする課題】
【０００８】
本発明の目的は、放電効率が改善できるプラズマディスプレイパネルを提供することに ある。
【０００９】
本発明の他の目的は、発光効率が改善できるプラズマディスプレイパネルを提供することにある。
【００１０】
本発明の又他の目的は、製造費用が節減できるプラズマディスプレイパネルを提供することにある。 
【課題を解決するための手段】
【００１１】
本発明の一実施形態に係るプラズマディスプレイパネルは、所定の間隔をおいて合着される前面基板及び後面基板と、前記前面基板と後面基板との間に形成され、複数の放電セルを区画する隔壁と、一つの前記放電セル内に交互に配列される複数のスキャン電極と複数のサステイン電極と、を含む。
【００１２】
少なくとも２つ以上の前記放電セルは、前記スキャン電極と前記サステイン電極の個数が互いに異なることを特徴とする。
【００１３】
前記スキャン電極とサステイン電極の個数は、前記放電セルの大きさによって異なることを特徴とする。
【００１４】
前記スキャン電極とサステイン電極の個数は、前記電極の幅によって異なることを特徴とする。
【００１５】
前記スキャン電極とサステイン電極の幅は、３０μｍ以上７０μｍ以下であることを特徴とする。
【００１６】
前記スキャン電極と前記サステイン電極との間の間隔は、前記放電セルの中央部と外郭部が互いに同一であることを特徴とする。
【００１７】
前記スキャン電極と前記サステイン電極との間の間隔は、前記放電セルの中央部と外郭部が互いに異なることを特徴とする。
【００１８】
前記中央部の前記スキャン電極と前記サステイン電極との間の間隔は、３０μｍ以上６０μｍ以下であることを特徴とする。
【００１９】
前記外郭部の前記スキャン電極と前記サステイン電極との間の間隔は、４０μｍ以上１００μｍ以下であることを特徴とする。
【００２０】
本発明の他の実施形態に係るプラズマディスプレイパネルは、所定の間隔をおいて合着される前面基板及び後面基板と、前記前面基板と後面基板との間に形成され、複数の放電セルを区画する隔壁と、一つの前記放電セル内に交互に配列され、不透明電極からなる複数のスキャン電極と複数のサステイン電極とを含む。
【００２１】
前記不透明電極は金属電極であることを特徴とする。
【００２２】
少なくとも２つ以上の前記放電セルは、前記スキャン電極と前記サステイン電極の個数が互いに異なることを特徴とする。
【００２３】
前記スキャン電極とサステイン電極の個数は、前記放電セルの大きさによって異なることを特徴とする。
【００２４】
前記スキャン電極とサステイン電極の個数は、前記電極の幅によって異なることを特徴とする。
【００２５】
前記スキャン電極とサステイン電極の幅は、３０μｍ以上７０μｍ以下であることを特徴とする。
【００２６】
前記スキャン電極と前記サステイン電極との間の間隔は、前記放電セルの中央部と外郭部が互いに同じであることを特徴とする。
【００２７】
前記スキャン電極と前記サステイン電極との間の間隔は、前記放電セルの中央部と外郭部が互いに異なることを特徴とする。
【００２８】
前記中央部の前記スキャン電極と前記サステイン電極との間の間隔は、３０μｍ以上６０μｍ以下であることを特徴とする。
【００２９】
前記外郭部の前記スキャン電極と前記サステイン電極との間の間隔は、４０μｍ以上１００μｍ以下であることを特徴とする。
【００３０】
本発明の又他の実施形態に係るプラズマディスプレイパネルは、所定の間隔をおいて合着される前面基板及び後面基板と、前記前面基板と後面基板との間に形成され、複数の放電セルを区画する閉鎖型（closed type）隔壁と、一つの前記放電セル内に交互に配列され、不透明電極からなる複数のスキャン電極及び複数のサステイン電極とを含む。
【発明の効果】
【００３１】
本発明は、プラズマディスプレイパネルの放電効率が改善できる効果がある。
【００３２】
本発明は、プラズマディスプレイパネルの発光効率が改善できる効果がある。
【００３３】
本発明は、プラズマディスプレイパネルの製造費用が節減できる効果がある。
【発明を実施するための最良の形態】
【００３４】
以下、添付の図面を参考しつつ本発明の望ましい実施形態をより詳細に説明する。
【００３５】
図２は、本発明の一実施形態に係るプラズマディスプレイパネルを説明するための図である。
【００３６】
図２に示すように、本発明の一実施形態に係るプラズマディスプレイパネルは、所定の間隔をおいて合着される前面基板２０１、後面基板２１１及び前面基板２０１と後面基板２１１との間に形成され、複数の放電セルを区画する隔壁２１２を含む。ここで、本発明の一実施形態に係るスキャン電極２０２とサステイン電極２０３は対をなして前面基板２０１上に形成される。また、アドレス電極２１３は、スキャン電極２０２とサステイン電極２０３に交差する方向に前記後面基板２１１上に形成される。 
【００３７】
前面パネル２００は一つの放電セルで相互放電させ、セルの発光を維持するためのスキャン電極２０２及びサステイン電極２０３が対をなして含まれる。スキャン電極２０２及びサステイン電極２０３は放電電流を制限し、電極対間を絶縁させてやる上部誘電体層２０４により覆われ、上部誘電体層２０４の上面には放電条件を容易にするために酸化マグネシウム（MgO）を蒸着した保護層２０５が形成される。
【００３８】
後面パネル２１０は複数個の放電空間、即ち、放電セルを形成させるための隔壁２１２が平行を維持して配列される。また、アドレス放電を遂行して真空紫外線を発生させる多数のアドレス電極２１３が前記スキャン電極２０２とサステイン電極２０３に交差する方向に配置される。後面パネル２１０上にはアドレス放電の際、画像の表示のための可視光線を放出するＲ（Red）、Ｇ（Green）、Ｂ（Blue）蛍光体２１４が塗布される。アドレス電極２１３と蛍光体２１４との間にはアドレス電極２１３を保護するための下部誘電体層２１５が形成される。
【００３９】
このような構造を有する本発明の一実施形態に係るプラズマディスプレイパネルにおいて、前面基板２０１上に形成されたスキャン電極２０２及びサステイン電極２０３の構造を注意深くみれば、一つの放電セル内に複数個のスキャン電極２０２と複数個のサステイン電極２０３が交互に配列されている。即ち、スキャン電極２０２−サステイン電極２０３−スキャン電極２０２−サステイン電極２０３の構造で配列される。これで、放電効率と発光効率を向上させることができる。また、本発明の一実施形態に係るスキャン電極２０２とサステイン電極２０３は、図１に図示された従来のスキャン電極２０２及びサステイン電極２０３の構造とは異なり、各々不透明な電極だけでなされる。即ち、従来によく使われていた透明電極の材質であるＩＴＯは使われなく、銀（Ag）や銅の材質を利用して形成される。これで、製造費用を低減させることができる。これに関するより詳細な説明は、次の図３ないし図７を通じて記述することにする。
【００４０】
図３は、本発明の一実施形態に係るプラズマディスプレイパネルの電極構造を説明するための図である。
【００４１】
ここで、図３では図２のプラズマディスプレイパネルの一つの放電セル内でスキャン 電極とサステイン電極の配置構造を説明するために電極構造のみを簡略に図示した。 
【００４２】
前述したように、本発明の一実施形態では一つの放電セル内に複数個のスキャン電極３１０と複数個のサステイン電極３２０が交互に配列される。また、スキャン電極３１０とサステイン電極３２０は不透明電極だけでなされる。不透明電極は従来のバス電極と同じ材質、即ち、銀や銅のような金属電極からなる。
【００４３】
このような電極構造を有することにより、プラズマディスプレイパネル駆動の際、放電セル内の交互する全てのスキャン電極３１０とサステイン電極３２０との間には相互放電が発生する。これによって、放電セルの全体放電領域で放電の強さが均一になる。即ち、従来の電極構造において放電の強さの弱い放電セルの外郭部分の放電の強さを増加させて、放電セルの全体的な明るさを増加させることができる。
【００４４】
これで、不透明電極により遮断される放電光の明るさが補充でき、従来のプラズマディスプレイパネルの明るさと等しいかより明るくなることができる。即ち、不透明電極のみでスキャン電極及びサステイン電極を構成することが可能である。
【００４５】
また、各々のスキャン電極３１０とサステイン電極３２０との間の距離が近いので、放電開始電圧を低下させることができて、放電効率を改善することができる。また、不透明電極である金属電極のみで形成されるので、電極の抵抗が減少されて消費電力を低下させることができる。ここで、放電開始電圧とは、スキャン電極３１０またはサステイン電極３２０の中の少なくともいずれかの一つの電極に電圧を供給する際、放電が始まる電圧の電圧レベルをいう。 
【００４６】
図４ａ及び図４ｂは、本発明の一実施形態に係るプラズマディスプレイパネルの放電セルの大きさによる電極構造を示す図である。
【００４７】
図４ａ及び図４ｂに示すように、プラズマディスプレイパネルのスキャン電極４１０とサステイン電極４２０の個数が放電セルの大きさによって変わる。即ち、図４ａのように、放電セルの大きさが大きいほどスキャン電極４１０とサステイン電極４２０の交互に配列される回数を多くして放電が起こる空間（Ｇ１、Ｇ２、Ｇ３、Ｇ４、Ｇ５、Ｇ６、Ｇ７、Ｇ８、Ｇ９）を増やし、図４ｂのように、放電セルの大きさが小さいほどスキャン電極４１０とサステイン電極４２０の交互に配列される回数を少なくしてそれに比例するように放電が起こる空間（Ｇ１、Ｇ２、Ｇ３、Ｇ４、Ｇ５）を確保するようにする。
【００４８】
このように、本発明の一実施形態では、少なくとも２つ以上の放電セルのスキャン電極とサステイン電極の個数を互いに異にすることができる。これは、放電セルの大きさ、または、電極の幅によって決定される。例えば、Ｒ、Ｇ、Ｂ放電セルの各々は蛍光体の特性によって放電セルの大きさを異にすることができ、また、次の図５ａ及び図５ｂのように、電極の幅を異にすることができる。このような要素の他にも、本発明ではその必要によって少なくとも２つ以上の放電セルのスキャン電極とサステイン電極の個数を互いに異にすることが可能である。 
【００４９】
図５ａ及び図５ｂは、本発明の一実施形態に係るプラズマディスプレイパネルの放電セル内で電極の幅による電極構造を示す図である。
【００５０】
図５ａ及び図５ｂを注意深くみれば、放電セル内のスキャン電極５１０とサステイン電極５２０の幅によって電極の個数が変わることが分かる。即ち、図５ａに示すように、電極の幅が小さければ小さいほど放電セル内の電極の個数は多くなり、図５ｂに示すように、電極の幅が大きければ大きいほど放電セル内の電極の個数は少なくなる。望ましくは、スキャン電極とサステイン電極の幅は、プラズマディスプレイパネルの最適の放電効率と発光効率を考慮して３０μｍ以上７０μｍ以下にする。
【００５１】
図６ａ及び図６ｂは、本発明の一実施形態に係るプラズマディスプレイパネルの放電セル内で電極間の間隔による電極構造を示す図である。
【００５２】
図６ａを注意深くみれば、スキャン電極６１０とサステイン電極６２０との間の間隔が放電セル内の中央部から外郭部に行くほど広くなることが分かる。即ち、放電ギャップＧ１の広さよりは放電ギャップＧ４の広さがより広い。これは放電セル内の中央部の間隔を狭くすることにより放電開始電圧を低下させることによって、放電が容易に発生するようにするためのものである。放電効率がより向上するように放電セル内の中央部のスキャン電極６１０とサステイン電極６２０との間の間隔は３０μｍ以上６０μｍ以下にすることが望ましい。
【００５３】
また、放電セル内の外郭部の間隔を広くすることによって、放電の際、２次電子の放出を加速化させることによって、発光効率を向上させるためのものである。発光効率がより向上するように外郭部のスキャン電極６１０とサステイン電極６２０との間の間隔は４０μｍ以上１００μｍ以下にすることが 望ましい。
【００５４】
図６ｂに示すように、放電セル内の中央部の間隔と外郭部の間隔がＧ２に同一にすることにより、プラズマディスプレイパネルの製造の際、電極のパターン形成を単純にすることができる。また、放電セル内の放電の強さを中央部または外郭部の位置に関わらず均一にすることができる。即ち、一部分に集中的に放電ダメージが加えられることを抑制することができる。
【００５５】
図７は、本発明の他の実施形態に係るプラズマディスプレイパネルを説明するための図である。
【００５６】
図７に示すように、本発明の他の実施形態に係るプラズマディスプレイパネルは、閉鎖型隔壁７００を含む。即ち、本発明の一実施形態に係る放電セルを区画する隔壁構造は、開放型（open type）または閉鎖型（closed type）隔壁の中の少なくともいずれかの１つのタイプの隔壁を使用することが可能であるが、望ましくは、放電時に発生できるクロストーク（Cross-talk）などのような誤放電を考慮して閉鎖型隔壁構造を有するようにする。ここで、閉鎖型隔壁構造は隣り合う放電セルが隔壁により互いに閉鎖される隔壁構造であって、一例としてウェルタイプがある。また、開放型隔壁構造は隣り合う放電セルが互いに開放された隔壁構造であって、一例としてストライプタイプがある。
【００５７】
このように、本発明の一実施形態に係る電極構造を有するプラズマディスプレイパネルは、中央の放電空間で放電が起こって広がる従来の電極構造とは異なり、放電セル内で全体放電セル内で均一に放電が起こる。
【図面の簡単な説明】
【００５８】
【図１】一般的なプラズマディスプレイパネルの構造を示す図である。
【図２】本発明の一実施形態に係るプラズマディスプレイパネルを説明するための図である。
【図３】本発明の一実施形態に係るプラズマディスプレイパネルの電極構造を説明するための図である。
【図４ａ】本発明の一実施形態に係るプラズマディスプレイパネルの放電セルの大きさによる電極構造を示す図である。
【図４ｂ】本発明の一実施形態に係るプラズマディスプレイパネルの放電セルの大きさによる電極構造を示す図である。
【図５ａ】本発明の一実施形態に係るプラズマディスプレイパネルの放電セル内で電極の幅による電極構造を示す図である。
【図５ｂ】本発明の一実施形態に係るプラズマディスプレイパネルの放電セル内で電極の幅による電極構造を示す図である。
【図６ａ】本発明の一実施形態に係るプラズマディスプレイパネルの放電セル内で電極間の間隔による電極構造を示す図である。
【図６ｂ】本発明の一実施形態に係るプラズマディスプレイパネルの放電セル内で電極間の間隔による電極構造を示す図である。
【図７】本発明の他の実施形態に係るプラズマディスプレイパネルを説明するための図である。
【符号の説明】
【００５９】
１０１、２０１     前面基板
１０２、２０２、３１０、４１０、５１０、６１０    スキャン電極
１０３、２０３、３２０、４２０、５２０、６２０    サステイン電極
１００、２００    前面パネル
１１１、２１１    後面基板
１０２ａ、１０３ａ    透明電極
１０２ｂ、１０３ｂ    バス電極
１０４、２０４    上部誘電体層
１０５、２０５    保護層
１１０、２１０    後面パネル
１１２、２１２、７００    隔壁
１１３、２１３    アドレス電極
１１４、２１４    蛍光体
【図２】
2006173128.tif 000003
【図７】
2006173128.tif 000004
【図１】
2006173128.tif 000005
【図３】
2006173128.tif 000006
【図４ａ】
2006173128.tif 000007
【図４ｂ】
2006173128.tif 000008
【図５ａ】
2006173128.tif 000009
【図５ｂ】
2006173128.tif 000010
【図６ａ】
2006173128.tif 000011
【図６ｂ】
2006173128.tif 000012